(57)【特許請求の範囲】
【請求項１】
アンカーボルトが突出した柱脚基礎部と基礎梁部とからなるコンクリート基礎の施工方法であって、柱脚基礎部の天端レベルと略等しい高さを持った柱脚基礎部に対応する部位と柱脚基礎部の天端レベルよりも高い天端レベルを持った基礎梁部に対応する部位とを有するコンクリート基礎の側壁を形成する側壁形成部を有し且つ基礎梁部の長手方向の端部に対応する位置に設けられ側壁形成部に於ける基礎梁部に対応する部位の上端から柱脚基礎部に対応する部位の上端に至る仕切板を有する型枠を配置すると共に柱脚基礎部の所定位置にアンカーボルトを配置し、次いで、前記型枠の柱脚基礎部に対応する部位以外の型枠の上方からコンクリートを打設して前記仕切板によって仕切られた基礎梁部よりも低い天端レベルの柱脚基礎部と基礎梁部を一体に構成することを特徴とするコンクリート基礎の施工方法。
【発明の詳細な説明】
【０００１】
【発明の属する技術分野】
本発明は、露出型固定柱脚部の基礎を施工する方法に関し、特に、一度のコンクリート打設によって天端レベルの異なる柱脚基礎部と基礎梁部を一体に構成することを可能にしたコンクリート基礎の施工方法に関するものである。
【０００２】
【従来の技術】
鋼管に代表される鋼製の柱を用いる鉄骨構造建築のコンクリート基礎では、柱の設置位置に対応してアンカーボルトを埋設した柱脚基礎部を配置すると共に、柱脚基礎部と該基礎部を接続する基礎梁部とを一体的に構成するのが一般である。
【０００３】
特に、ラーメン構造の躯体では柱の太さが大きくなり、これに伴って柱脚の寸法も大きくなる。このような躯体にＡＬＣパネルやＰＣパネル等のコンクリート系パネルからなる床版や外壁版を取り付けて建築物を構成する場合、柱脚基礎部と基礎梁部の天端レベルが等しいと、柱脚部に対応するパネルの隅角に欠込みを形成することが必要となり、工期が長くなったりコストが上昇する虞がある。また柱脚部を露出した状態で保持した場合、アンカーボルトが発錆したり外観性能を損なうため、柱脚部をコンクリートに埋め込むのが一般であるが、この埋め込み部分の天端レベルが基礎梁部の天端レベルよりも高くなって結局外観性能が損なわれるという問題がある。
【０００４】
このため、柱脚基礎部の天端レベルを基礎梁部の天端レベルよりも低く設定することによって、柱脚部を床版や外壁版の設置レベルから下方に位置させることで、パネルの隅角に於ける欠込みの形成を回避すると共に、柱脚部をコンクリートに埋め込んだとき、柱脚基礎部の天端レベルと基礎梁部の天端レベルを同一レベルとすることでアンカーボルトの発錆防止や外観性能の維持をはかるのが一般である。
【０００５】
上記コンクリート基礎を施工する場合、柱脚基礎部及び基礎梁部の伏図に従って型枠を配置し、この型枠にコンクリートを打設して柱脚基礎部の天端レベルと同一の天端レベルで柱脚基礎部と基礎梁部を一体的に構成し、その後、設置レベルを調整して柱脚基礎部に柱を固定し、更に、床版や外壁版の設置レベルを調整することを目的として基礎梁部に再度コンクリート或いはモルタルを打設し、或いは柱を基礎に一体化することを目的として柱脚基礎部及び基礎梁部に再度コンクリートを打設している。
【０００６】
【発明が解決しようとする課題】
上記従来に施工方法では、一度同一レベルの柱脚基礎部と基礎梁部を一体的に構成した後、再度レベルの異なる基礎梁部、或いは柱の柱脚部を埋め込んだ基礎梁部を構成するため、コンクリート或いはモルタルを二度打ちすることが必要である。このため、工期が長くなるという問題が発生する。
【０００７】
本発明の目的は、一度コンクリートを打設することによって天端レベルの異なる柱脚基礎部と基礎梁部を一体的に構成することが出来るコンクリート基礎の施工方法を提供することにある。
【０００８】
【課題を解決するための手段】
上記課題を解決するために本発明に係るコンクリート基礎の施工方法は、アンカーボルトが突出した柱脚基礎部と基礎梁部とからなるコンクリート基礎の施工方法であって、柱脚基礎部の天端レベルと略等しい高さを持った柱脚基礎部に対応する部位と柱脚基礎部の天端レベルよりも高い天端レベルを持った基礎梁部に対応する部位とを有するコンクリート基礎の側壁を形成する側壁形成部を有し且つ基礎梁部の長手方向の端部に対応する位置に設けられ側壁形成部に於ける基礎梁部に対応する部位の上端から柱脚基礎部に対応する部位の上端に至る仕切板を有する型枠を配置すると共に柱脚基礎部の所定位置にアンカーボルトを配置し、次いで、前記型枠の柱脚基礎部に対応する部位以外の型枠の上方からコンクリートを打設して前記仕切板によって仕切られた基礎梁部よりも低い天端レベルの柱脚基礎部と基礎梁部を一体に構成することを特徴とするものである。
【０００９】
上記コンクリート基礎の施工方法では、コンクリート基礎の側壁を形成する側壁形成部を有し、且つ基礎梁部の長手方向の端部に対応する位置に側壁形成部の上端から所定の深さを持った仕切板を設けた型枠を基礎伏図に従って配置すると共に柱脚基礎部を形成する位置にアンカーボルトを配置し、その後、基礎梁部に対応する型枠の上方からコンクリートを打設すると、打設されたコンクリートは型枠に従って流動し、柱脚基礎部及び基礎梁部に充填される。打設されたコンクリートが柱脚基礎部の天端レベルまで到達すると、その後コンクリートは仕切板によって柱脚基礎部側への流動が阻止され基礎梁部のみに充填される。従って、一度のコンクリート打設によって天端レベルの異なる柱脚基礎部と基礎梁部を一体的に構成することが出来る。
【００１０】
【発明の実施の形態】
以下、上記コンクリート基礎の施工方法の好適な実施形態について図を用いて説明する。図１は本発明に係る施工方法を実施する際の型枠の構成を説明する斜視図、図２は型枠にコンクリートを打設した後の状態を示す斜視図、図３は仕切板の構成を説明する斜視図、図４は一体構成された柱脚基礎部と基礎梁部の構成を説明する斜視図、図５は柱脚基礎部と基礎梁部を連続して構成する際に用いる型枠の例を示す図である。
【００１１】
本発明に係るコンクリート基礎の施工方法は、基礎伏図に従って配置された型枠に対する一度のコンクリート打設によって天端レベルの異なる柱脚基礎部と基礎梁部を構成するものであり、基礎工事の合理化と工期の短縮化をはかることを可能としたものである。
【００１２】
以下、説明の煩雑化を避けるために、図１に示す出隅部に於ける柱脚基礎部と基礎梁部との取合部分の型枠の構成について説明しつつ施工方法を説明する。然し、柱脚基礎部を有するＴ字型の取合部分、及び十字型の取合部分であっても実質的に同一である。
【００１３】
基礎の施工に当たって、予め通常の方法で基礎伏図に従って遣方，根伐り，地業が行なわれ、その後、基礎フーチング或いはスラブ・耐圧盤の配筋、及び基礎筋の配筋が行なわれる。
【００１４】
上記の如くして所定の配筋を行なった後、型枠Ａの配置又は柱脚基礎部５の形成位置に対するアンカーボルト１の配置が行なわれる。型枠Ａ，アンカーボルト１の何れを先に配置するかは特に限定するものではなく、作業環境や作業手順に応じて適宜設定すれば良い。
【００１５】
型枠Ａは、基礎梁部４と柱脚基礎部５からなるコンクリート基礎の側壁を形成する側壁形成部２と、基礎梁部４の長手方向の端部に対応する位置に設けられ側壁形成部２の上端から所定の深さを持った仕切板３とを有している。
【００１６】
図４（ｂ）に示すように、基礎梁部４と柱脚基礎部５が等しい幅寸法を有する場合、側壁形成部２は単位長さを持って形成された平板枠２ａによって構成される。然し、同図（ａ）に示すように、柱脚基礎部５が基礎梁部４よりも大きい幅寸法を有する場合、側壁形成部２は平板枠２ａと、基礎梁部４と柱脚基礎部５との接続構造に応じて選択された図５（ａ）〜（ｃ）に示す異形枠２ｂ〜２ｄとを組み合わせて構成される。
【００１７】
図１に示すように、柱脚基礎部５が出隅部を構成し且つ基礎梁部４の幅寸法が柱脚基礎部５の幅寸法よりも小さい場合、基礎梁部４の構成位置に対応して複数の平板枠２ａが対向して配置され、隣接する平板枠２ａが互いに接続されて側壁形成部２の一部が構成され、且つ柱脚基礎部５の構成位置に対応して予め選択された異形枠２ｂ〜２ｄが夫々形状に応じて配置され、隣接する異形枠２ｂ〜２ｄどうし接続されると共に平板枠２ａと接続される。
【００１８】
図に於いて、異形枠２ｂ〜２ｄの高さは平板枠２ａの高さよりも低くなるように形成されている。即ち、柱脚基礎部５に配置されたアンカーボルト１の寸法精度を保証するための治具を設けたり、該ボルト１の倒れを防止する手段を構成する場合には、これらの治具或いは手段等に応じて予め設定された寸法に対応させて異形枠２ｂ〜２ｄの高さを平板枠２ａよりも低くしておくことが好ましい。
【００１９】
基礎梁部４の長手方向の端部、即ち、基礎梁部４と柱脚基礎部５との境界に仕切板３が配置される。この仕切板３は、図３に示すように、基礎梁部４と柱脚基礎部５の天端レベルの差に対応させて予め設定された深さを有する仕切材３ａと、仕切材３ａの一方の端部に溶接等の手段によって固着され平板枠２ａの上端に係止される係止材３ｂと、仕切材３ａと係止材３ｂを接続してコンクリート打設時に仕切材３ａに作用する圧力によって該仕切材３ａに発生する撓みを防止する補強材３ｃとによって構成されている。
【００２０】
上記仕切板３は基礎梁部４と柱脚基礎部５との境界となる所定位置に配置され、万力状の固定金具６によって係止材３ｂが平板枠２ａの上端側に形成されたフランジに固定される。
【００２１】
上記の如くして基礎伏図に従って型枠Ａを配置すると共に柱脚基礎部５の形成位置にアンカーボルト１を配置し、その後、基礎梁部４に対応する型枠Ａの上方からのみコンクリートを打設すると、打設されたコンクリートは型枠Ａに沿って流動し、基礎梁部４及び柱脚基礎部５に充填される。
【００２２】
型枠Ａに対するコンクリートの充填レベルが上昇して柱脚基礎部５の天端レベルに到達した後、引き続きコンクリートの打設を継続すると、打設されたコンクリートの基礎梁部４から柱脚基礎部５への流動は仕切板３によって阻止され、基礎梁部４にのみ充填される。そしてコンクリートの充填レベルが基礎梁部４の天端レベルに到達したとき、型枠Ａに対するコンクリートの打設を停止することで、天端レベルの異なる基礎梁部４と柱脚基礎部５を同時に構成することが可能である。
【００２３】
天端レベルの異なる基礎梁部４及び柱脚基礎部５を同時に構成する際に用いるコンクリートは、 JIS認定工場で製造され予めスランプ値15cm〜18cmに調整されたものであることが好ましい。前記スランプ値に調整されたコンクリートでは、柱脚基礎部５に充填されたコンクリートが天端レベルに到達した後、引き続き基礎梁部４に対応する型枠Ａの上方から打設しても、柱脚基礎部５からコンクリートが溢れることはない。
【００２４】
上記の如くして型枠Ａにコンクリートを打設して天端レベルの異なる基礎梁部４及び柱脚基礎部５を構成し、所定の養生期間が経過した後、型枠Ａを撤去してコンクリート基礎を露出させ、その後、図４（ａ），（ｂ）に示すように、柱脚基礎部５のレベルを調整して該基礎部５の天端にモルタル等をのせた後レベルプレート７を設置する。
【００２５】
次いで、同図（ｃ）に示すように、鋼製柱８のベースプレート８ａをアンカーボルト１に固定し、柱脚基礎部５に対し基礎梁部４の天端レベルと一致させるようにコンクリート或いはモルタルを充填してアンカーボルト１及びベースプレート８ａからなる鋼製柱８の柱脚部を埋設する。
【００２６】
次に、異形枠２ｂ〜２ｄの適用個所について図５（ａ）〜（ｃ）により簡単に説明する。これらの異形枠２ｂ〜２ｄは、基礎梁部４の幅よりも柱脚基礎部５の幅の方が大きい場合に柱脚基礎部５の側壁を形成する側壁形成部２の一部として用いられるものである。
【００２７】
同図（ａ）に示す異形枠２ｂは、出隅部に於ける柱脚基礎部５の外側の側壁の一部、或いはＴ字型の取合部分の外側の側壁を形成する際に用いられるものである。異形枠２ｂは、図に示す形状を持ったものと、この形状とは勝手違いの形状を持ったものが用意される。
【００２８】
同図（ｂ）に示す異形枠２ｃは、出隅部に於ける柱脚基礎部５の外側の側壁の一部を形成する際に用いられるものであり、前述の異形枠２ｂ，後述する異形枠２ｄと共に利用される。
【００２９】
同図（ｃ）に示す異形枠２ｄは、出隅部に於ける柱脚基礎部５の内側の側壁，或いはＴ字型，十字型の取合部分の内側の側壁を形成する際に用いられるものであり、取合部の形状に応じて前述の異形枠２ｂ，２ｃと共に利用される。
【００３０】
【発明の効果】
以上詳細に説明したように本発明に係るコンクリート基礎の施工方法では、柱脚基礎部の天端レベルと略等しい高さを持った柱脚基礎部に対応する部位と柱脚基礎部の天端レベルよりも高い天端レベルを持った基礎梁部に対応する部位とを有するコンクリート基礎の側壁を形成する側壁形成部を有し且つ基礎梁部の長手方向の端部に対応する位置に設けられ側壁形成部に於ける基礎梁部に対応する部位の上端から柱脚基礎部に対応する部位の上端に至る仕切板を有する型枠を配置すると共に柱脚基礎部の所定位置にアンカーボルトを配置し、柱脚基礎部に対応する部位以外の型枠の上方からコンクリートを打設することによって、基礎梁部よりも低い天端レベルの柱脚基礎部と基礎梁部を同時に構成することが出来る。このため、基礎工事に要する工期を短縮すると共にコストを低減することが出来る。
【図面の簡単な説明】
【図１】本発明に係る施工方法を実施する際の型枠の構成を説明する斜視図である。
【図２】型枠にコンクリートを打設した後の状態を示す斜視図である。
【図３】仕切板の構成を説明する斜視図である。
【図４】一体構成された柱脚基礎部と基礎梁部の構成を説明する斜視図である。
【図５】柱脚基礎部と基礎梁部を連続して構成する際に用いる型枠の例を示す図である。
【符号の説明】
Ａ                  型枠
１                  アンカーボルト
２                  側壁形成部
２ａ                平板枠
２ｂ〜２ｄ          異形枠
３                  仕切板
３ａ                仕切材
３ｂ                仕切材
３ｃ                補強材
４                  基礎梁部
５                  柱脚基礎部
６                  固定金具
７                  レベルプレート
８                  鋼製柱
８ａ                ベースプレート
【図１】
0003749287.tif 000002
【図２】
0003749287.tif 000003
【図３】
0003749287.tif 000004
【図４】
0003749287.tif 000005
【図５】
0003749287.tif 000006